(57)【要約】【課題】筐体扉を開いた状態におけるメンテナンス作業の効率を高める。【解決手段】筐体本体１に対して筐体扉２を開閉可能に取り付け、該筐体扉２の外面に遊技機外部から操作可能な複数の操作部（ベットボタン１４〜１６、貯留メダル精算ボタン１８、スタートレバー１９、ストップボタン２０ａ〜２０ｃ）を設ける。筐体扉２の内側に、複数の操作部からの信号を中継する中継基板６０を配設する。中継基板６０に、複数の操作部の少なくとも１つに対応して、該操作部を操作した場合と同等の疑似操作信号を発生する疑似操作信号発生手段（疑似操作ボタン１０１〜１０９）を配設する。【選択図】          図１
2005007092.tif 000002
【特許請求の範囲】
【請求項１】
筐体本体に対して筐体扉を開閉可能に取り付け、該筐体扉の外面に遊技機外部から操作可能な複数の操作部を設けた遊技機であって、
前記筐体扉の内側に、前記複数の操作部からの信号を中継する中継基板を配設し、
該中継基板に、前記複数の操作部の少なくとも１つに対応して、該操作部を操作した場合と同等の疑似操作信号を発生する疑似操作信号発生手段を配設したことを特徴とする遊技機。
【請求項２】
前記疑似操作信号発生手段は、各疑似操作信号を発生すべき操作部にそれぞれ対応して設けられていることを特徴とする請求項１記載の遊技機。
【請求項３】
前記筐体扉の正常開閉を検知する開閉状態検知手段を設け、
前記疑似操作信号発生手段は、前記開閉状態検知手段により筐体扉の正常な開状態が検知された場合にのみ有効化されることを特徴とする請求項１または２記載の遊技機。
【発明の詳細な説明】
【０００１】
【発明の属する技術分野】
本発明は、筐体本体に対して筐体扉を開閉可能に取り付け、筐体扉の外面に遊技機外部から操作可能な複数の操作部を配設した遊技機に関する。
【０００２】
【従来の技術】
従来、スロットマシン等の遊技機は、筐体内に収容された種々の機構のメンテナンスを行うために、筐体本体の前面に開閉可能な筐体扉が取り付けられており、筐体扉の前面には、スタートレバー、ストップボタン、ベットボタン等の複数の操作部が設けられている（例えば、特許文献１参照）。
【０００３】
このような遊技機でメンテナンスを行うには、筐体扉を開いて遊技機の内部へアクセスするが、この際、スタートレバー、ストップボタン、ベットボタンを実際に操作して、あるいは実際に遊技メダルの投入を行って、その動作を確認しなければならない場合がある。
【０００４】
【特許文献１】
特開２００２−３０６６７８号公報
【０００５】
【発明が解決しようとする課題】
しかしながら、従来の遊技機では、メンテナンスを行うために筐体扉を開いた状態で、作業者が筐体扉の前面に設けられたスタートレバー、ストップボタン、ベットボタン等を容易に操作できるとは言い難かった。すなわち、筐体扉を開いた状態では、筐体扉の背面側が作業者に向けられており、筐体扉の前面に配設されたスタートレバー、ストップボタン、ベットボタン等を操作するためには、筐体扉の前面側に作業者の上体を回り込ませるか、あるいは筐体扉を閉じる必要があった。
【０００６】
このため、作業姿勢が不自然となり効率よく作業を行うことができない場合があった。また、作業内容によってはスタートレバー、ストップボタン、ベットボタン等の操作とメンテナンス作業を同時に行う必要があり、一人で作業を行うことができない場合もあった。
【０００７】
また、近年、筐体扉を開いて、あるいは筐体扉を開かずに筐体内部にセル板や針金等を挿入することにより遊技機の内部にアクセスして、遊技媒体を大量に獲得するという不正行為が横行している。このような不正行為に対して、遊技店内に防犯カメラを取り付け、筐体扉の開閉を監視することも考えられる。しかしながら、防犯カメラで遊技店内の全てを監視することは難しく、特に不正行為者により故意に死角が作られた場合には、メンテナンスに伴う正当な開閉であるか、不正行為を行うための開閉であるかを見極めることができなかった。
【０００８】
このため、筐体本体に取り付けられた筐体扉の開閉状態を監視し、不正な開閉行為を確実に発見することも必要である。
【０００９】
本発明は、上述した事情に鑑み提案されたもので、筐体扉の外面に配設した操作部を操作しながらメンテナンスを行う必要がある場合に、筐体扉を開いた状態であってもメンテナンス作業の効率を高めることが可能な遊技機を提供することを目的とする。
【００１０】
また、本発明は、メンテナンス作業以外の筐体扉の不正な開閉により筐体内部に追加された補助スイッチ類が操作されることを確実に防止することが可能な遊技機を提供することを目的とする。
【００１１】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【００１２】
本発明に係る遊技機（例えば、パチスロ遊技機）は、筐体本体（１）に対して筐体扉（２）を開閉可能に取り付け、該筐体扉（２）の外面に遊技機外部から操作可能な複数の操作部（ベットボタン１４〜１６、貯留メダル精算ボタン１８、スタートレバー１９、ストップボタン２０ａ〜２０ｃ）を設けた遊技機であって、
前記筐体扉（２）の内側に、前記複数の操作部（ベットボタン１４〜１６、貯留メダル精算ボタン１８、スタートレバー１９、ストップボタン２０ａ〜２０ｃ）からの信号を中継する中継基板（６０）を配設し、
該中継基板（６０）に、前記複数の操作部（ベットボタン１４〜１６、貯留メダル精算ボタン１８、スタートレバー１９、ストップボタン２０ａ〜２０ｃ）の少なくとも１つに対応して、該操作部（ベットボタン１４〜１６、貯留メダル精算ボタン１８、スタートレバー１９、ストップボタン２０ａ〜２０ｃ）を操作した場合と同等の疑似操作信号を発生する疑似操作信号発生手段（疑似操作ボタン１０１〜１０９）を配設したことを特徴とするものである。
【００１３】
ここで、遊技者が実際に操作を行う装置ではないが、メダル投入口（１３）に投入された遊技メダルを検知するためのメダルセンサに対応させて疑似操作信号発生手段（疑似操作ボタン１０１）を設けることができる。すなわち、本発明における疑似操作信号発生手段とは、遊技者が実際に操作を行う操作部に対応して設けたものだけではなく、これらの装置以外の装置であってメンテナンスに必要な装置に対応して設けたものであってもよい。
【００１４】
なお、疑似操作信号発生手段（疑似操作ボタン１０１〜１０９）は、複数の操作部の全てに対応している必要はなく、メンテナンス作業に必要な操作部（ベットボタン１４〜１６、貯留メダル精算ボタン１８、スタートレバー１９、ストップボタン２０ａ〜２０ｃの一部）にのみ対応していればよい。また、１つの疑似操作信号発生手段の信号系統を切り換えて、複数の操作部（ベットボタン１４〜１６、貯留メダル精算ボタン１８、スタートレバー１９、ストップボタン２０ａ〜２０ｃ）にそれぞれ対応させることもできる。
【００１５】
このような構成からなる遊技機では、筐体扉（２）の内側に中継基板（６０）が設けられており、この中継基板（６０）に配設された疑似操作信号発生手段（疑似操作ボタン１０１〜１０９）を操作することにより、該当する操作部（ベットボタン１４〜１６、貯留メダル精算ボタン１８、スタートレバー１９、ストップボタン２０ａ〜２０ｃ）を操作した場合と同等の疑似操作信号を発生することができる。
【００１６】
したがって、筐体扉（２）を開いてメンテナンス作業を行う場合に、疑似操作信号発生手段（疑似操作ボタン１０１〜１０９）を操作することにより、筐体扉（２）の外面に設けられた操作部（ベットボタン１４〜１６、貯留メダル精算ボタン１８、スタートレバー１９、ストップボタン２０ａ〜２０ｃ）を実際に操作することなく、操作部（ベットボタン１４〜１６、貯留メダル精算ボタン１８、スタートレバー１９、ストップボタン２０ａ〜２０ｃ）を操作した場合と同様のメンテナンス作業を行うことができるので、メンテナンス作業の効率を格段に高めることができる。
【００１７】
また、本発明に係る遊技機は、前記構成に加えて、前記疑似操作信号発生手段（疑似操作ボタン１０１〜１０９）は、各疑似操作信号を発生すべき操作部（ベットボタン１４〜１６、貯留メダル精算ボタン１８、スタートレバー１９、ストップボタン２０ａ〜２０ｃ）にそれぞれ対応して設けられていることを特徴とするものである。
【００１８】
このような構成からなる遊技機では、各操作部（ベットボタン１４〜１６、貯留メダル精算ボタン１８、スタートレバー１９、ストップボタン２０ａ〜２０ｃ）と各疑似操作信号発生手段（疑似操作ボタン１０１〜１０９）との対応関係が明確となり、目的の疑似操作信号を確実に発生させることができるので、メンテナンス作業の効率をさらに高めることができる。
【００１９】
また、本発明に係る遊技機は、前記構成に加えて、前記筐体扉（２）の正常開閉を検知する開閉状態検知手段（開閉状態検知装置７０）を設け、
前記疑似操作信号発生手段（疑似操作ボタン１０１〜１０９）は、前記開閉状態検知手段により筐体扉（２）の正常な開状態が検知された場合にのみ有効化されることを特徴とするものである。
【００２０】
このような構成からなる遊技機では、開閉状態検知手段（開閉状態検知装置７０）により筐体扉（２）の正常な開状態が検知された場合にのみ、疑似操作信号発生手段（疑似操作ボタン１０１〜１０９）を用いて疑似操作信号を発生させることができる。すなわち、不正行為による異常開放等の場合には、疑似操作信号発生手段（疑似操作ボタン１０１〜１０９）を用いて疑似操作信号を発生させることができないので、筐体扉（２）を不正に開いて遊技機内部へアクセスする等の不正行為を未然に防止することができる。
【００２１】
【発明の実施の形態】
以下、図面を参照して、本発明に係る遊技機の実施形態を説明する。
なお、以下の説明では、代表的な遊技機としてパチスロ遊技機を例にとって説明を行うが、本発明に係る遊技機はこれに限定されるものではない。
【００２２】
図４、図５は、本発明の実施形態に係るパチスロ遊技機を示すもので、図４は筐体扉を開いた状態のパチスロ遊技機の斜視図、図５は筐体扉を閉じた状態のパチスロ遊技機の正面図である。
【００２３】
本発明の実施形態に係るパチスロ遊技機は、図４、図５に示すように、筐体本体１の前面に筐体扉２を開閉可能に取り付けることにより遊技機筐体が構成されている。
【００２４】
筐体扉２の前面のほぼ中央より上部には、正面パネル５が配設されており、この正面パネル５には、筐体本体１内に配設したリール１２ａ，１２ｂ，１２ｃの表面が臨む３個の表示窓１１ａ，１１ｂ，１１ｃを横並びに配設し、表示窓１１ａ，１１ｂ，１１ｃの下方には、演出表示等を行う液晶表示装置２３を配設してある。
【００２５】
また、図示しないが、表示窓１１ａ，１１ｂ，１１ｃには、表示窓１１ａ，１１ｂ，１１ｃを横断するようにして合計５本の有効ライン表示が施されている。
この有効ライン表示は、横３本の有効ライン表示、およびこれらと交差する斜め２本の有効ライン表示からなり、遊技に供された遊技メダル数によって有効となるライン数が変化する。
【００２６】
また、正面パネル５には、表示窓１１ａの左側に位置するようにして、遊技に供された遊技メダル数と有効ライン表示との対応関係を表示するための５つの有効ラインランプ１７…が設けられている。さらに、表示窓１１ｃの右側に位置するようにして、パチスロ遊技機における遊技情報を表示するための５個の表示ランプ１０…が設けられている。これらの表示ランプ１０…は、例えば、遊技メダルの投入許可、遊技開始許可、ボーナス遊技の内部当選、遊技禁止、および打ち止めの告知、筐体扉２の不正開放警告等、種々の表示に用いることができる。
【００２７】
正面パネル５の下方には、遊技に供する遊技メダルを投入するためのメダル投入口１３、クレジットされた範囲内で遊技に供する遊技メダルを投入するための第１ベットボタン１４、第２ベットボタン１５、マックスベットボタン１６、クレジットされた遊技メダルを払い出すための貯留メダル精算ボタン１８、リール１２ａ，１２ｂ，１２ｃの回転を一斉に開始させるためのスタートレバー１９、および各リール１２ａ，１２ｂ，１２ｃの回転を個別に停止させるための３個のストップボタン２０ａ，２０ｂ，２０ｃ等が設けられている。
【００２８】
なお、第１ベットボタン１４は遊技メダルを１枚投入するためのベットボタンであり、第２ベットボタン１５は遊技メダルを２枚投入するためのベットボタンであり、マックスベットボタン１６は遊技メダルを最大許容投入枚数（例えば３枚）投入するためのベットボタンである。
【００２９】
また、スタートレバー１９等の下方に位置する筐体扉２の前面下部には、装飾表示を行うための腰部パネル６が配設されている。さらに、腰部パネル６の下方には、遊技メダルを払い出すためのメダル払出口８が設けられているとともに、メダル払出口８に臨むようにして遊技メダルを貯留するためのメダル貯留皿７および一対のスピーカ９ａ，９ｂが設けられている。
【００３０】
また、正面パネル５の上部に位置する筐体扉２の前面には、上部ランプ３および配当表パネル４が設けられている。
【００３１】
また、図４，図５に示すように、筐体本体１の内部には、リール１２ａ，１２ｂ，１２ｃ、主制御基板５０、電源装置２１、ホッパ２２等が配設されており、筐体扉２の内側には、液晶表示装置２３、主制御基板５０の制御の下に液晶表示装置２３の制御等を行うためのサブ制御基板（図示せず）および中継基板６０が配設されている。
【００３２】
＜中継基板＞
次に、図１を参照して、中継基板について説明する。図１は、中継基板を筐体扉の背面側から見た状態の正面図である。
中継基板６０は、等筐体扉２の前面に配設されたベットボタン１４〜１６、貯留メダル精算ボタン１８、スタートレバー１９、ストップボタン２０ａ〜２０ｃ等の操作部からの電気配線を中継するため基板である。
【００３３】
この中継基板６０には、メダル投入口から投入されたメダルを検知するメダルセンサ（図示せず）、ストップボタン２０ａ〜２０ｃ、マックスベットボタン１６、スタートレバー１９、第１ベットボタン１４および第２ベットボタン１５、貯留メダル精算ボタン１８からの電気配線を中継するためのコネクタ１１１〜１１６と、主制御基板５０への電気配線を中継するためのコネクタ１１０が設けられている。
【００３４】
また、中継基板６０の表面には、ベットボタン１４〜１６、貯留メダル精算ボタン１８、スタートレバー１９、ストップボタン２０ａ〜２０ｃ等の操作部を操作した場合と同等の疑似操作信号を発生するための疑似操作ボタンが設けられている。
【００３５】
これらの疑似操作ボタンは、メダル投入口から投入されたメダルを検知するメダルセンサ（図示せず）に対応する疑似操作ボタン１０１、ストップボタン２０ａ〜２０ｃに対応する疑似操作ボタン１０２〜１０４、スタートレバー１９に対応する疑似操作ボタン１０５、マックスベットボタン１６に対応する疑似操作ボタン１０６、第２ベットボタン１５に対応する疑似操作ボタン１０７、第１ベットボタンに対応する疑似操作ボタン１０８、および貯留メダル精算ボタン１８に対応する疑似操作ボタン１０９からなる。
【００３６】
すなわち、疑似操作ボタン１０１を操作するとメダルセンサにより遊技メダルを検出した場合と同等の疑似操作信号が発生し、疑似操作ボタン１０２を操作すると右側のストップボタン２０ｃを操作した場合と同等の疑似操作信号が発生し、疑似操作ボタン１０３を操作すると中央のストップボタン２０ｂを操作した場合と同等の疑似操作信号が発生し、疑似操作ボタン１０４を操作すると左側のストップボタン２０ａを操作した場合と同等の疑似操作信号が発生し、疑似操作ボタン１０５を操作するとスタートレバー１９を操作した場合と同等の疑似操作信号が発生し、疑似操作ボタン１０６を操作するとマックスベットボタン１６を操作した場合と同等の疑似操作信号が発生し、疑似操作ボタン１０７を操作すると第２ベットボタン１５を操作した場合と同等の疑似操作信号が発生し、疑似操作ボタン１０８を操作すると第１ベットボタン１４を操作した場合と同等の疑似操作信号が発生し、疑似操作ボタン１０９を操作すると貯留メダル精算ボタン１８を操作した場合と同等の疑似操作信号が発生する。
【００３７】
したがって、筐体扉２を開いてメンテナンス作業を行う場合には、これらの疑似操作ボタン１０１〜１０９を操作することにより、筐体扉の前面に設けられたベットボタン１４〜１６、貯留メダル精算ボタン１８、スタートレバー１９、ストップボタン２０ａ〜２０ｃ等の操作部を実際に操作することなく、同等の疑似操作信号を発生させてメンテナンス作業を行うことができる。
【００３８】
また、筐体扉２を開いて不正行為を行うことを防止するため、あるいは筐体扉２を開かずに、筐体内部にセル板や針金等を挿入して疑似操作ボタン１０１〜１０９を不正に操作することを防止するため、メンテナンス作業等に伴う正常な開状態の場合にのみ、疑似操作ボタン１０１〜１０９を有効化することが好ましい。
このため、本実施形態に係るパチスロ遊技機は、筐体扉２の正常な開閉状態を検知するための開閉状態検知装置を備えている。
【００３９】
＜開閉状態検知装置＞
以下、図２、図３を参照して、筐体扉２の開閉状態を検知するための開閉状態検知装置について説明する。図２は、開閉状態検知装置を示すもので、（ａ）は筐体本体および筐体扉の模式図、（ｂ）は開放角度検知センサの模式図、（ｃ）は開閉状態検知装置の概略構成を示すブロック図である。また、図３は、開閉状態検知装置を用いて筐体扉の異常開放を検知する手順を示すフローチャートである。
【００４０】
開閉状態検知装置７０は、図２（ａ）〜（ｃ）に示すように、筐体扉２の開閉を検知する開閉検知センサ７１と、筐体扉２の開放角度を検知する開放角度検知センサ７２を備えており、開閉検知センサ７１および開放角度検知センサ７２における検知状態に応じて、筐体扉２の異常開放を検知するようにしたものである。
【００４１】
本実施形態では、図２（ａ）に示すように、筐体本体１に対して、左側が支持部となり、右側が開放端となるようにして、筐体扉２が開閉可能に取り付けられている。
【００４２】
筐体本体１の開放端側には、図２（ａ）に示すように、開閉検知センサ７１が取り付けられており、開閉検知センサ７１の検知部７１ａにより筐体扉２の開閉を検知するようになっている。すなわち、検知部７１ａが筐体扉２を検知している状態が閉状態であり、検知部７１ａが筐体扉２を検知していない状態が開状態である。
【００４３】
また、図２（ｂ）に示すように、筐体扉２の回動軸７６には、筐体扉２の開閉に従って回動する円板状の遮蔽板７３が取り付けられており、筐体本体１には、遮蔽板７３に臨むようにして開放角度検知センサ７２が取り付けられている。さらに、遮蔽板７３には、筐体扉２が全開状態（例えば、筐体本体１に対して約９０°の位置）となった際に、開放角度検知センサ７２の検知部７２ａに検知される位置に切り欠き部７３ａが設けられている。
【００４４】
したがって、筐体扉２が全開状態にまで回動すると、開放角度検知センサ７２の検知部７２ａが遮蔽板７３の切り欠き部７３ａを検知して、筐体扉２が全開状態となったことを検知することができる。
【００４５】
また、開閉状態検知装置７０は、図２（ｃ）に示すように、開閉検知センサ７１および開放角度検知センサ７２の他に、条件判断部７４と、警告部７５とを備えている。
【００４６】
条件判断部７４は、例えばパチスロ遊技機の動作を制御する制御装置により構成することができる。なお、制御装置とは独立して動作するマイクロプロセッサ等により条件判断部７４を構成してもよい。
【００４７】
警告部７５は、例えば、表示ランプ１０、スピーカ９ａ，９ｂ等により構成することができる。なお、警告を行う特別のランプを設けてもよいし、液晶表示装置２３や、他のランプ、ＬＥＤ等により警告部７５を構成してもよい。警告部７５による警告は、表示ランプ１０等を用いた視覚的警告、およびスピーカ９ａ，９ｂを用いた聴覚的警告のいずれか、あるいはこれらを組み合わせたものであってもよい。
【００４８】
次に、図２（ｃ）および図３を参照して、筐体扉２の異常開放を検知する手順を説明する。
条件判断部７４は、開閉検知センサ７１および開放角度検知センサ７２における検知状態を監視している（Ｓ１１，Ｓ１３）。そして、開閉検知センサ７１により筐体扉２の開状態が検知されない場合、すなわち、筐体扉２が閉状態の場合には、疑似操作ボタン１０１〜１０９を無効化し（Ｓ１２）、たとえ筐体内部へセル板や針金等が挿入されたとしても、疑似操作ボタン１０１〜１０９が不正に操作されることを確実に防止する。
【００４９】
また、開閉検知センサ７１により筐体扉２の開状態が検知され、かつ開放角度検知センサ７２により所定の開放角度に達しない状態が所定時間以上継続したことが検知されると（Ｓ１１，Ｓ１３）、警報信号を発生するとともに、疑似操作ボタン１０１〜１０９を無効化する（Ｓ１４）。
【００５０】
一方、筐体扉２が開状態であっても、所定の開閉角度に達しない状態が所定時間以上継続しない場合には、疑似操作ボタン１０１〜１０９を有効化する（Ｓ１５）。
【００５１】
そして、警報信号が発生されると、警告部７５により筐体扉２が異常開放状態である旨の報知が行われる。具体的には、表示ランプ１０のいずれかを点灯あるいは点滅させたり、スピーカ９ａ，９ｂから警告音を発生する。
【００５２】
さらに、警報信号は、遊技店内の適宜箇所に設けられた管理装置９０に送信される。管理装置９０では、警報信号を受信すると、管理室内に設置された警告ランプ（図示せず）を点灯あるいは点滅させたり、スピーカ（図示せず）から警告音を発生する。
【００５３】
このような構成からなる開閉状態検知装置７０によれば、不正行為を行おうとして筐体扉２を少しだけ開いた状態が所定時間以上継続した場合に警告を行うこととともに、疑似操作ボタン１０１〜１０９を無効化することができ、筐体扉２の不正開放およびこれに伴う不正行為を防止することができる。
【００５４】
なお、異常開放状態を検知するための所定時間は、特に規定されるものではないが、メンテナンス等に伴う正常な開放時において、筐体扉２が全閉状態から全開状態となる時間を所定時間とする。例えば、所定時間として５秒を設定することができる。
【００５５】
また、開閉状態検知装置として、他の構成のものを用いることもできる。
例えば、筐体扉の全閉状態および全開状態を検知する開閉状態検知センサを設け、開閉状態検知センサにおける検知状態に応じて、筐体扉の異常開放状態を検知するようにしてもよい。
【００５６】
また、所定期間における筐体扉の開放速度を検知する開放速度検知センサを設け、開放速度検知センサにおける検知状態に応じて、筐体扉の異常開放状態を検知するようにしてもよい。
【００５７】
＜他の実施形態＞
本発明に係る遊技機は、上記実施形態に限定されるものではなく、種々の変更を加えて実施することが可能である。
例えば、疑似操作ボタン１０１〜１０９は、他の操作部に対応して設けることができる。また、各操作部に対応してそれぞれ疑似操作ボタンを設けるのではなく、例えばロータリースイッチを用いて疑似操作ボタンを構成し、スイッチの回動位置に応じて対応する操作部を決定するように構成してもよい。さらに、テンキーおよびその制御装置により疑似操作ボタンを構成し、テンキーにより各操作部に対応する番号を入力することにより、対応する操作部を決定するように構成してもよい。
【００５８】
また、開閉検知センサ７１、開放角度検知センサ７２は、どのようセンサであってもよく、光学センサ（透過型あるいは反射型）、磁気センサ、マイクロセンサ等を用いることができる。なお、これらの場合には、遮蔽板の検知マークをスリットに変更するなどのように、センサが検知し得る形状または素材にすることが必要である。
【００５９】
また、パチスロ遊技機に警告部７５を設けずに、管理装置９０等で警報信号を管理するようにしてもよい。あるいは、管理装置９０に対して警報信号を送信せずに、パチスロ遊技機に設けた警告部７５のみによって警告を行ってもよい。さらに、管理装置９０では警告を行わずに、警報信号の履歴を管理するようにしてもよい。
【００６０】
また、警報信号を送信するパチスロ遊技機の外部装置は、遊技店内に設置された管理装置に限られず、サービスセンター等に設置された集中管理装置に対して警報信号を送信してもよい。この場合、パチスロ遊技機（管理装置）と集中管理装置とは、公衆電話回線、専用通信線、無線通信等の手段を用いて接続される。
【００６１】
また、本発明は、筐体扉２の外面に操作部を設けた遊技機であれば、パチンコ機、ゲームマシン、スロットマシン等の他の遊技機にも適用することができる。
【００６２】
【発明の効果】
以上説明したように、本発明に係る遊技機によれば、筐体扉を開いてメンテナンス作業を行う場合に、疑似操作信号発生手段を操作することにより、筐体扉の外面に設けられた操作部を実際に操作することなく、操作部を操作した場合と同等の疑似操作信号を発生させることができる。
【００６３】
したがって、メンテナンス作業を行うために無理な姿勢をとる必要がなく、また１人の作業者のみでメンテナンス作業を行うことができるので、メンテナンス作業の効率を格段に高めることができる。
【図面の簡単な説明】
【図１】中継基板を筐体扉の背面側から見た状態の正面図
【図２】開閉状態検知装置を示すもので、（ａ）は筐体本体および筐体扉の模式図、（ｂ）は開放角度検知センサの模式図、（ｃ）は開閉状態検知装置の概略構成を示すブロック図
【図３】開閉状態検知装置を用いて筐体扉の異常開放を検知する手順を示すフローチャート
【図４】本発明の実施形態に係るパチスロ遊技機において、筐体扉を開いた状態の斜視図
【図５】本発明の実施形態に係るパチスロ遊技機の正面図
【符号の説明】
１  筐体本体
２  筐体扉
３  上部ランプ
４  配当表パネル
５  正面パネル
８  腰部パネル
７  メダル貯留皿
８  メダル払出口
９ａ，９ｂ  スピーカ
１０  表示ランプ
１１ａ〜１１ｃ  表示窓
１２ａ〜１２ｃ  リール
１３  メダル投入口
１４〜１６  ベットボタン
１７  有効ラインランプ
１８  貯留メダル精算ボタン
１９  スタートレバー
２０ａ〜２０ｃ  ストップボタン
２１  電源装置
２２  ホッパ
２３  液晶表示装置
５０  主制御基板
６０  中継基板
７０  開閉状態検知装置
７１  開閉検知センサ
７１ａ  検知部
７２  開放角度検知センサ
９０  管理装置
１０１〜１０９  疑似操作ボタン
【図１】
2005007092.tif 000003
【図２】
2005007092.tif 000004
【図３】
2005007092.tif 000005
【図４】
2005007092.tif 000006
【図５】
2005007092.tif 000007